(57)【要約】【課題】中通し錘を低コストでライン上の所定位置よりも下にずれないように容易に止められるようにし、且つ錘着底時の衝撃軽減性を高めることを課題とする。【解決手段】中通し錘２０Ａ下方のライン５０に固定され中通し錘２０Ａの下面側に上面側を当接してライン５０上の所定位置よりも中通し錘２０Ａが下にずれないように止めるための止め具１Ａであって、略円柱状のゴム部材からなり上面中央から下面中央に貫通してライン５０を挿通させるライン孔１０が穿設され、且つ、上面から下面に貫通するように外周面から略中心軸線に向かって所定深さで切り込まれ通常は密着して閉じる切込み１１，１２が、少なくとも１つ以上設けられており、上側からライン孔１０に挿通させ下側から出たライン５０先端側を切込み１１に挿入して挟み込むことにより、ライン５０上の任意位置で固定されることを特徴とするものとした。【選択図】図１
0003124412.tif 000002
【実用新案登録請求の範囲】
【請求項１】
中通し錘下方のラインに固定され前記中通し錘の下面側に上面側を当接して前記ライン上の所定位置よりも下にずれないように前記中通し錘を止めるための止め具であって、
略円柱状のゴム部材からなり上面中央から下面中央に貫通して前記ラインを挿通させるライン孔が穿設され、且つ、前記上面から前記下面に貫通するように外周面から略中心軸線に向かって所定深さで切り込まれ通常は密着して閉じる切込みが、少なくとも１つ以上設けられており、
上側から前記ライン孔に挿通させ下側から出た前記ラインの先端側を前記切込みに挿入して挟み込むことにより、前記ライン上の任意位置で固定される、
ことを特徴とする中通し錘の止め具。
【請求項２】
請求項１に記載した止め具は、銃弾型の中通し錘用とされ、上面側が使用する前記中通し錘底面外径に対し少なくとも同等以上の外径を有することを特徴とする、中通し錘の止め具。
【請求項３】
前記止め具の上面側に、前記中通し錘の底部を所定深さで嵌め込んで固定させる連結用窪みが設けられている、ことを特徴とする請求項２に記載した中通し錘の止め具。
【請求項４】
外径が高さよりも大きな略円盤状とされている、ことを特徴とする請求項１，２または３に記載した中通し錘の止め具。
【請求項５】
前記切込みのうち一つが中心軸線まで切り込まれ、該切込みの最深部が前記ライン孔を兼ねるものとされ前記ライン側方から装着可能とされていることを特徴とする請求項１，２，３または４に記載した中通し錘の止め具。
【請求項６】
前記外周面の切込み入口に沿って、横断面レ字状またはＶ字状に切り欠かれて前記切込み入口の左右幅を広げてなりライン装着時に前記ラインを前記切込み内に案内するためのライン挿入用案内構造が設けられている、ことを特徴する請求項１，２，３，４または５に記載した中通し錘の止め具。
【考案の詳細な説明】
【技術分野】
【０００１】
本考案は、中通し錘の止め具に関し、殊に、釣り用の中通し錘をライン（釣り糸）の所定位置よりも下にずれ落ちないように止めるための止め具に関する。  
【背景技術】
【０００２】
近年、錘が針より下になる捨て錘式仕掛けが普及しており、特にブラックバスフィッシィングの分野でよく釣れる仕掛けとして人気がある。例えば、図５に示すようにライン５０の中途に針４０を直接結びつけ、針４０から所定距離離れた下方のライン５０上で錘２０Ｂを止め金具２６などで固定するものとした、所謂ダウンショットリグといわれる仕掛けが知られている。
【０００３】
この捨て錘式仕掛けの利点は、針４０を水底から所定高さで維持しやすいとともに、根掛かりによる針４０の紛失を回避しやすい点にあり、また、ソフトルアー１００等を使用する場合にこれに効果的なアクションを加えやすい等の利点も有している。
【０００４】
さらに最近では、特開平１１−２７６０４５号公報に記載され図６（Ａ）に示すようなテーパ状のピン状止め具１Ｆとこれを挿通する貫通孔２４を備えた球形の中通し錘２０Ｃの組合せや、特開平８−２２８６５２号公報に記載され図６（Ｂ）に示すようなライン５０に挿通した流線形の中通し錘２０Ｄの下面側から、その貫通孔２５に小径の軸部１８を差し込んで中通し錘２０Ｄをライン５０上に固定するものとした止め具１Ｇが提案され、錘をライン上の任意位置で容易に止められるとともに錘位置の変更作業を容易に行えるものとしている。
【０００５】
しかし、ダウンショットリグ等の捨て錘式仕掛けは、錘が水底の障害物に掛かって紛失しやすいことから消耗品としての位置づけであるため、錘と止め具はなるべく低コストであることが求められている。そこで、昔から広く普及しコストが比較的低廉で重さのバリエーションに富んだ銃弾型の中通し錘を、そのまま利用できれば便利である。ところが、図６（Ａ）に示した仕掛けは中通し錘２０Ｃと止め具１Ｇが互いに専用品の組合せであり、図６（Ｂ）に示す仕掛けの中通し錘１Ｇも貫通孔２５が止め具１Ｇの軸部１８を挿入できる比較的大きいものを想定しており、普及タイプの銃弾型中通し錘はそのまま使用しにくい。
【０００６】
また、錘は一般に鉛やタングステン等の金属からなり、水底に石や岩がある場合には着底と同時に衝撃音を発生させるため、対象魚によっては警戒させて食いつきを悪くしてしまう点が問題である。さらに、錘が底の岩に当る衝撃等により、錘に施した塗装が剥がれて外観を損なうという問題もある。このことは、図６（Ａ）に示した仕掛けにおいてピン状の止め具１Ｆを金属以外の軟質素材とした場合でも、錘は通常ラインを斜めにして着底することから止め具１Ｆよりも横に張り出した中通し錘２０Ｃの外周面底部側が水底に衝突しやすく衝撃軽減性は充分ではない。
【０００７】
また、図６（Ｂ）に示す仕掛けにおいて、止め具１Ｇの軸部１８を中通し錘２０Ｄの貫通孔２５に深く挿入する関係で止め具１Ｇには所定の硬さが必要となることから、その底部側が水底に衝突するときの衝撃軽減性は充分ではなく、また、上述の止め具１Ｆよりは止め具１Ｇの外径が大きいものの、中通し錘２０Ｄ底部の外周よりも小径であるため、中通し錘２０Ｄが大きく傾斜して着底した場合にはその底部外周側が水底に衝突しやすくなる。
【特許文献１】特開平１１−２７６０４５号公報
【特許文献２】特開平８−２２８６５２号公報
【考案の開示】
【考案が解決しようとする課題】
【０００８】
本考案は、上記のような問題点を解決しようとするものであり、低コストで中通し錘をライン上の所定位置よりも下にずれないように容易に止められるようにし、且つ錘着底時の衝撃軽減性を高めることを課題とする。
【課題を解決するための手段】
【０００９】
そこで、本考案は、中通し錘下方のラインに固定され中通し錘の下面側に上面側を当接してライン上の所定位置よりも下に中通し錘がずれないように止めるための止め具であって、略円柱状のゴム部材からなり上面中央から下面中央に貫通してラインを挿通させるライン孔が穿設され、且つ、上面から下面に貫通するように外周面から略中心軸線に向かって所定深さで切り込まれ通常は密着して閉じる切込みが少なくとも１つ以上設けられており、上側からライン孔に挿通させ下側から出たライン先端側を切込みに挿入して挟み込むことにより、ライン上の任意位置で固定されることを特徴とする中通し錘の止め具とした。
【００１０】
このように簡易な構成の弾性部材からなり切込みにラインを挟み込む構成の止め具としたことで、ラインと下面側および切込み内の密着面との間に生じる摩擦力を利用することができ、且つ、比較的低コストで作成できるものとなり、安価な普及型の中通し錘であってもライン上の任意位置で容易に止めることができ、しかも、錘着底時に弾性のある止め具が底に当りやすいものとなって、衝撃軽減性に優れたものとなる。
【００１１】
また、この止め具を銃弾型の中通し錘用とし、その上面側が使用する中通し錘の底部外径に対し少なくとも同等以上の外径を有するものとすれば、錘が斜めに着底した場合でも錘よりも先にゴム部材の止め具が底に当たりやくなるため、一層衝撃軽減性に優れたものとなり、この銃弾型の中通し錘用止め具の場合、その上面側に、中通し錘の底部側大径部を所定深さで嵌め込んで固定させる連結用窪みが設けられたものとすれば、中通し錘がライン上で遊動しないように容易に固定することができる。
【００１２】
さらに、上述した止め具を外径が高さよりも大きな略円盤状のものとすれば、着底状態における錘の安定性に優れたものとなり、さらにまた、上述した止め具において、切込みのうち一つが中心軸線まで切り込まれ切込みの最深部がライン孔を兼ねるものとされライン側方から装着・固定できるものとすれば、構成がより簡単になるとともにラインへの装着作業が極めて容易なものとなる。
【００１３】
さらにまた、上述した止め具において、外周面の切込み入口に沿って横断面レ字状またはＶ字状に切り欠かれて切込み入口側の左右幅を広げてなりライン装着時にラインを切込み内に案内するためのライン挿入用案内構造が設けられたものとすれば、ラインへの装着作業が一層容易なものとなる。
【考案の効果】
【００１４】
略円柱状のゴム部材からなり切込みにライン孔を挿通したライン先端側を挟み込むことでライン上に固定され中通し錘を止めるものとした本考案によると、低コストで中通し錘がライン上の所定位置よりも下にずれないように容易に止められることに加え、錘着底時の衝撃軽減性の高いものとすることができる。
【考案を実施するための最良の形態】
【００１５】
以下に、図面を参照して本考案を実施するための最良の形態を説明する。尚、本考案において、ゴムとは天然ゴムと合成ゴム、およびこれらのゴムと同等の弾性と摩擦力を備え一般的にゴムと称される合成樹脂素材を含むものとし、また、略円柱状とは完全な円柱状に限定されず、円柱に近似した多角柱状も含むとともに角部に多少の面取りがあるものも含むものとする。
【００１６】
図１は、本考案における第１の実施の形態であって最良の実施の形態としての止め具１Ａを示している。図１（Ａ）を参照して、止め具１Ａは弾性と表面摩擦力に優れた合成ゴムを円盤状に近い略円柱状に形成したものであり、底部側が角部に沿って面取りを施されやや丸くなっており、その上下中心軸線に沿うように上面から下面に亘ってラインを挿通するためのライン孔１０が穿設されている。
【００１７】
また、その外周面からライン孔１０（中心軸線）に向かって、止め具１Ａの直径の約４分の１程度の深さで上面から下面に貫通するように２つの切込み１１，１２が略対称位置に設けられている。そして、この切込み１１，１２の外周面側には切込みの入口に沿って横断面レ字状に切り欠かれて形成され切込み入口の左右幅を広げ、ライン装着時にライン５０を切込み１１，１２内に案内する構造である案内溝１１ａ，１２ａが設けられている。
【００１８】
図１（Ｂ）を参照して、止め具１Ａを捨て糸としてのライン５０の所定位置に固定する捨て錘式仕掛けの場合は、錘２０Ａを先に挿通しておいたライン５０の先端を上側からライン孔１０に挿入し、下側から出た先端側を上に向けて切込み１１，１２のうちいずれか一方に外周面側から差し込んで挟み込み、上面側で余って上向きに出たライン５０先端側をさらに下向きにして他方の切込みに挟み込んで下面側から出すことにより固定する。この場合、ライン５０を切込み１１，１２に差し込むときに案内溝１１ａ，１２ａに沿うように合わせることで、スムースに差し込むことができる。
【００１９】
このようにライン５０に止め具１Ａを固定するようにしたことで、その上方において上下に遊動可能に挿通された中通し錘２０Ａが止め具１Ａよりも下に移動しないようにしっかりと止めることができる。これは、ライン５０を結ぶことによるものではなくまた所定の留め金具で挟んで止めるものではないことから、例えば針から中通し錘２０Ａまでの距離を変更する場合に、その都度ライン５０を取り替えたり止め金具でライン５０に傷を付けたりすることのないものとなる。
【００２０】
即ち、弾性と摩擦力に富むゴム部材に設けた切込み１１，１２で挟み込む摩擦力によりライン５０に止め具１Ａが固定されるものであり、しかも、図２（Ａ）に示すように、錘２０Ａが下向きに付勢されればされるほど、止め具１Ａの下面側で折り返したライン５０が強く押しつけられて摩擦力が増して堅固に固定されるものであり、しっかり固定してもライン５０を殆ど痛めないという特徴を有している。
【００２１】
さらに、止め具１Ａは弾性に富むゴム部材からなるため、錘着底時の衝撃軽減性に優れており、図２（Ｂ）に示すように、その外径が中通し錘２０Ａの底部側大径部と同等以上とされていることから、ライン５０が斜めの状態で着底しても中通し錘２０Ａの外周側が底に当ることが殆どない。従って、仕掛けを遠投した場合や様々なロッドアクションを加えた場合においても、衝撃軽減性は確保されるとともに中通し錘２０Ａに施した塗装が剥がれて外観を損なうことを最小限に抑えることができる。  
【００２２】
一方、本考案において、中通し錘２０Ａと止め具１Ａとを連結させて使用したい場合は、図３（Ａ）に示すように一端止め具１Ａの下面側から出したライン５０先端側を一方の切込み１１に挟み込みながら中通し錘２０Ａのライン孔２１上側開口部から挿通し、さらに下側から出た先端側を他方の切込み１２に挟み込めばよい。
【００２３】
或いは、本考案における第２の実施の形態として、図３（Ｂ）に示すように止め具１Ａ上面に銃弾型の中通し錘２０Ａの底部側大径部を所定深さで嵌挿するための連結用窪み１５を設けてなり切込み１３，１４を備えた止め具１Ｂとし、その連結用窪み１５に中通し錘２０Ａの底部を嵌め込むようにしてもよい。この場合、使用する錘は銃弾型の中通し錘２０Ａに限定されるが、止め具１Ｂとの連結作業は極めて容易なものとなる。
【００２４】
図４は本考案における第３の実施の形態を示すものであり、図４（Ａ）に示すように、第１の実施の形態の止め具１Ａの一方の切込み１１を、止め具１Ａの中心軸線まで達するようにするとともにライン孔１０を廃して切込み最深部がこれを兼ねる切込み１６とされたことを特徴とする、止め具１Ｃを示している。
【００２５】
そして、止め具１Ｃをライン５０に装着して固定する場合は、その側方の外周面側から案内溝１６ａを経由して切込み１６にライン５０を挿入し、図４（Ｂ）に示すようにその中心軸線位置で挟み込み、底面側から出た先端側を前記同様に他方の切込み１２に挟み込んで、上面から出た先端側を再度切込み１６に挟み込むことでしっかりと固定されるものである。従って、このように簡易な構成でも止め具１Ｃのラインへの装着・固定のための作業が極めて容易なものとなる。
【００２６】
以上述べたように、本考案により、中通し錘を低コストでライン上の所定位置よりも下にずれないように容易に止められるようになり、且つ、錘着底時の衝撃軽減性を高めることができたものである。尚、上述の実施の形態においては、主として捨て錘式の仕掛けの場合について説明したが、錘の下に針が設けられるスプリットショットリグやキャロライナリグ等の仕掛けにおいても実施でき、上記同様の効果を発揮することは言うまでもない。また、止め具に設ける切込みについて、ラインの挿通方向に平行な面とした場合を説明したが、その中心軸線から大きく外れない範囲でラインの挿通方向に対し傾斜させてラインとの摩擦力を大きくするようにしてもよい。
【図面の簡単な説明】
【００２７】
【図１】（Ａ）は本考案の実施の形態を示す斜視図、（Ｂ）は（Ａ）の止め具を装着した状態を示す縦断面図。
【図２】（Ａ）は図１の止め具の作用を説明するための縦断面図、（Ｂ）は図１の止め具の作用を説明するための正面図。
【図３】（Ａ）は図１（Ｂ）の止め具の固定方法とは異なる固定方法を示す縦断面図、（Ｂ）は本考案の第２の実施の形態を示す縦断面図。
【図４】（Ａ）は本考案の第３の実施の形態を示す斜視図、（Ｂ）は本考案の第３の実施の形態を示す縦断面図。
【図５】従来例を示す正面図。
【図６】（Ａ）は従来例を示す斜視図、（Ｂ）は従来例を示す縦断面図。
【符号の説明】
【００２８】
１Ａ，１Ｂ，１Ｃ  止め具、１０，２１  ライン孔、１１，１２，１３，１４、１６  切込み、１１ａ，１２ａ，１６ａ  案内溝、１５  連結用窪み、２０Ａ  中通し錘、５０  ライン
【図１】
0003124412.tif 000003
【図２】
0003124412.tif 000004
【図３】
0003124412.tif 000005
【図４】
0003124412.tif 000006
【図５】
0003124412.tif 000007
【図６】
0003124412.tif 000008